(57)【要約】【課題】不具合を有する直流電源の適切な交換時期を設定する。【解決手段】故障検出装置（２）は、太陽電池モジュール（２１）の断線故障を検出する断線検出部（３１）と、太陽電池モジュール（２１）の断線故障の回数をカウントするカウント部（４２）と、カウント部（４２）によるカウント数が所定の閾値を超えた場合に、太陽電池モジュール（２１）を要交換太陽電池モジュールと判定する判定部（４３）とを備える。【選択図】図１
2017161314.tif 000002
【特許請求の範囲】
【請求項１】
発電または充放電する直流電源における断線故障を検出する断線検出部と、
前記直流電源についての前記断線検出部にて検出された断線故障の回数をカウントするカウント部と、
前記カウント部によるカウント数が所定の閾値を超えた場合に、前記直流電源を要交換直流電源と判定する判定部とを備えている直流電源の故障検出装置。
【請求項２】
前記断線検出部は、前記直流電源の直列抵抗について第１閾値および前記第１閾値よりも大きい値の第２閾値を有し、前記直流電源の直列抵抗を計測し、計測した直列抵抗が前記第１閾値よりも大きく前記第２閾値以下である場合に、第１断線故障と判定し、計測した直列抵抗が前記第２閾値よりも大きい場合に第２断線故障と判定し、
前記カウント部は、前記第１断線故障の場合に断線故障の回数をカウントする一方、
前記判定部は、前記第２断線故障が発生した場合に、直流電源を要交換直流電源と判定する請求項１に記載の直流電源の故障検出装置。
【請求項３】
前記判定部が前記直流電源を要交換直流電源と判定した場合に、要交換直流電源が存在することを警告する警告部を備えている請求項１または２に記載の直流電源の故障検出装置。
【請求項４】
直流電源における断線故障を検出する断線検出工程と、
前記直流電源についての前記断線検出工程にて検出された断線故障の回数をカウントするカウント工程と、
前記カウント工程によるカウント数が所定の閾値を超えた場合に、前記直流電源を要交換直流電源と判定する判定工程とを備えている直流電源の故障検出方法。
【発明の詳細な説明】
【技術分野】
【０００１】
本発明は、発電または充放電する直流電源の故障検出装置および故障検出方法に関する。
【背景技術】
【０００２】
従来、太陽光発電システムは、太陽電池ストリングにより発電された電力が、直流交流変換器等を含むパワーコンディショニングシステム（以下、単にＰＣＳ（Power Conditioning System）と称する）を介して、電力送電網に供給されるようになっている。太陽電池ストリングは、多数の太陽電池モジュールを直列接続して形成されている。各太陽電池モジュールは、直列接続された複数の太陽電池セルを備え、パネル状に形成されている。
【０００３】
従来、太陽電池モジュール（直流電源）は、例えば太陽電池セルでの接触不良等の不具合や断線により、直列抵抗が高くなる故障を生じることがある。このような故障を生じた太陽電池モジュールは、良品と交換する必要がある。そこで、太陽光発電システムでは、太陽電池モジュールの故障の有無について、定期的に検査されている。上記のような故障を検査する手法については、従来種々の方法が知られている。
【０００４】
例えば、特許文献１に記載の構成では、複数の周波数を含むテスト信号を光起電力システムへ導入し、テスト信号に関連付けられた応答信号を評価することにより光起電力システムの発生器インピーダンスを決定し、決定した発生器インピーダンスに基づいて、光起電力システムの交流応答のモデリングにより、光起電力システムの接点を監視するようになっている。
【先行技術文献】
【特許文献】
【０００５】
【特許文献１】特表２０１３−５２７６１３号公報
【特許文献２】特開２０１３−１５６１２５号公報
【特許文献３】特許第５１９６６０７号公報
【特許文献４】特許第４６０４２５０号公報
【発明の概要】
【発明が解決しようとする課題】
【０００６】
ところが、太陽電池モジュールの故障については、例えば一時的な接触不良による故障など、故障が検出された場合であっても、安定的に故障状態が維持されない場合がある。例えば、接触不良による故障が検出された太陽電池モジュールについて、後日の検査では接触不要が解消したことにより故障が検出されないことがある。
【０００７】
このような場合には、その太陽電池モジュールは、接触不良を生じることがあるという不具合が存在するものの、交換時期を容易には決定し難いという問題点を有している。
【０００８】
したがって、本発明は、不具合を有する直流電源、例えば太陽電池モジュールについて、適切な交換時期を設定することができる直流電源の故障検出装置および故障検出方法の提供を目的としている。
【課題を解決するための手段】
【０００９】
上記の課題を解決するために、本発明の直流電源の故障検出装置は、発電または充放電する直流電源における断線故障を検出する断線検出部と、前記直流電源についての前記断線検出部にて検出された断線故障の回数をカウントするカウント部と、前記カウント部によるカウント数が所定の閾値を超えた場合に、前記直流電源を要交換直流電源と判定する判定部とを備えている構成である。
【００１０】
上記の構成によれば、断線検出部は、直流電源における断線故障を検出し、カウント部は、直流電源についての断線検出部にて検出された断線故障の回数をカウントし、判定部は、カウント部によるカウント数が所定の閾値を超えた場合に、直流電源を要交換太陽電池と判定する。
【００１１】
これにより、例えば一時的な接触不良により故障が生じ易い直流電源に対しても適切な交換時期を示すことができる。
【００１２】
上記の直流電源の故障検出装置において、前記断線検出部は、前記直流電源の直列抵抗について第１閾値および前記第１閾値よりも大きい値の第２閾値を有し、前記直流電源の直列抵抗を計測し、計測した直列抵抗が前記第１閾値よりも大きく前記第２閾値以下である場合に、第１断線故障と判定し、計測した直列抵抗が前記第２閾値よりも大きい場合に第２断線故障と判定し、前記カウント部は、前記第１断線故障の場合に断線故障の回数をカウントする一方、前記判定部は、前記第２断線故障が発生した場合に、直流電源を要交換直流電源と判定する構成としてもよい。
【００１３】
上記の構成によれば、断線検出部は、直流電源の直列抵抗が第１閾値よりも大きく第２閾値以下である場合に、第１断線故障と判定する。カウント部は、第１断線故障の場合に断線故障の回数をカウントする。したがって、判定部は、カウント部によるカウント数に基づき、直流電源が要交換太陽電池であるかどうかを判定する。
【００１４】
一方、断線検出部は、直流電源の直列抵抗が第２閾値よりも大きい場合に第２断線故障と判定する。この場合、判定部は、直流電源を要交換直流電源と判定する。
【００１５】
これにより、直流電源が第２断線故障（例えば確実に断線しているような故障）を生じた場合に、直流電源の検査を無駄に繰り返す必要がなく、故障検出装置の動作を簡素化することができる。
【００１６】
上記の直流電源の故障検出装置は、前記判定部が前記直流電源を要交換直流電源と判定した場合に、要交換直流電源が存在することを警告する警告部を備えている構成としてもよい。
【００１７】
上記の構成によれば、要交換直流電源が存在することを警告部により警告されるので、作業者は要交換直流電源の存在を容易に認識することができる。
【００１８】
本発明の直流電源の故障検出方法は、直流電源における断線故障を検出する断線検出工程と、前記直流電源についての前記断線検出工程にて検出された断線故障の回数をカウントするカウント工程と、前記カウント工程によるカウント数が所定の閾値を超えた場合に、前記直流電源を要交換直流電源と判定する判定工程とを備えている構成である。
【００１９】
上記の構成によれば、上記の直流電源の故障検出装置と同様の作用効果を奏する。
【発明の効果】
【００２０】
本発明の構成によれば、例えば一時的な接触不良により故障が生じ易い直流電源に対しても適切な交換時期を示すことができる。
【図面の簡単な説明】
【００２１】
【図１】本発明の実施形態の太陽電池の故障検出装置を備えた太陽光発電システムの構成を示す概略の回路図である。
【図２】図１に示した故障検出装置の動作を示すフローチャートである。
【図３】断線故障を生じた太陽電池モジュールを含む太陽電池ストリングにおける、故障検査ごとの直列抵抗の変化の一例を示すグラフである。
【発明を実施するための形態】
【００２２】
〔実施形態１〕
本発明の実施形態を図面に基づいて以下に説明する。図１は、本実施形態の太陽電池（直流電源）の故障検出装置を備えた太陽光発電システムの構成を示す概略の回路図である。
【００２３】
（太陽光発電システム１の構成）
図１に示すように、太陽光発電システム１は、複数の太陽電池ストリング（太陽電池）１１、切替スイッチ１２、接続箱１３、開閉スイッチ１４、パワーコンディショニングシステム（以下、ＰＣＳ（Power Conditioning System）と称する）１５、故障位置検出装置２およびサーバ（管理装置）１７を備えている。
【００２４】
太陽電池ストリング１１は、多数の太陽電池モジュール（直流電源）２１が直列接続されて形成されている。各太陽電池モジュール２１は、直列接続された複数の太陽電池セル（図示せず）を備え、パネル状に形成されている。各太陽電池ストリング１１は、Ｐ側の出力線路２２ａおよびＮ側の出力線路２３ａを介して接続箱１３と接続されている。
【００２５】
切替スイッチ１２は、各太陽電池ストリング１１と接続箱１３との間の一対の出力線路２２ａ，２３ａに設けられている。切替スイッチ１２は、例えば切替リレーからなり、各太陽電池ストリング１１の接続先を接続箱１３と故障検出装置２の故障位置検出部１６との間にて切り替えるようになっている。
【００２６】
接続箱１３は、各太陽電池ストリング１１を互いに並列接続し、一対の出力線路２２，２３によりＰＣＳ１５と接続されている。接続箱１３の内部には、太陽電池ストリング１１ごとに逆流防止ダイオード２４が設けられている。逆流防止ダイオード２４は、太陽電池ストリング１１により供給される電流と逆方向に電流が流れることを防止している。なお、逆流防止ダイオード２４は、出力線路２２ａ，２３ａのいずれに設けられていてもよい。また、逆流防止ダイオード２４は、図１の例では、電力線路２３ａに配置しているが、電力線路２２ａに配置してもよい。この場合は、アノードをＰＣＳ１５に接続し、カソードを太陽電池ストリング１１に接続する。
【００２７】
開閉スイッチ１４は、出力線路２２，２３に設けられ、開動作により太陽電池ストリング１１をＰＣＳ１５から解列させる。ＰＣＳ１５は、太陽電池ストリング１１から入力された直流の電力を交流の電力に変換して、交流の電力系統１８へ出力する。
【００２８】
（故障検出装置２の構成）
故障検出装置２は、故障位置検出部１６およびサーバ１７が有する機能によって構成されている。具体的には、故障位置検出部１６は、断線検出部３１、制御部３２および表示部３３を備えている。サーバ１７は、制御部（警告部）４１、カウント部４２、判定部４３および表示部（警告部）４４を備えている。故障検出装置２は、故障位置検出部１６およびサーバ１７の制御部４１、カウント部４２、判定部４３および表示部４４によって構成されている。
【００２９】
故障位置検出部１６は、切替スイッチ１２を切り替えて、各太陽電池ストリング１１を接続し、断線検出部３１により各太陽電池ストリング１１に対して断線位置検出動作を行う。切替スイッチ１２の切り替えは、制御部３２が制御する。
【００３０】
断線検出部３１は、太陽電池ストリング１１の太陽電池モジュール２１のクラスタ断線などの断線故障を検出する、従来周知の構成を有している。これらは、例えばいわゆるＴＤＲ（time domain reflectometry：時間領域反射）方式あるいは対地容量方式によるものである。ＴＤＲ方式としては、特許文献２および３に開示されている技術を使用でき、対地容量方式としては、特許文献４に開示されている技術を使用できる。
【００３１】
故障位置検出部１６の制御部３２は、サーバ１７の制御部４１と通信し、断線検出部３１による検出結果をサーバ１７の制御部４１へ送信する。また、制御部３２は、断線検出部３１による検出結果を表示部３３に表示させる。
【００３２】
サーバ１７の制御部４１は、故障位置検出部１６から断線故障が検出されたことを示す情報を受信するごとに、それらを１回のカウント値としてカウント部４２へ与える。したがって、カウント部４２は、断線検出部３１による断線故障の検出回数をカウントする。この場合の断線故障回数のカウントは、断線故障が検出された太陽電池モジュール２１ごとに行う。
【００３３】
判定部４３は、カウント部４２による太陽電池モジュール２１ごとのカウント値が所定の閾値を超えたかどうかを判定し、いずれかの太陽電池モジュール２１について、カウント値が閾値を超えると、その太陽電池モジュール２１を要交換太陽電池モジュール（要交換直流電源）と判定する。制御部４１は、判定部４３がいずれかの太陽電池モジュール２１を要交換太陽電池モジュールと判定した場合に、その要交換太陽電池モジュールを特定する情報、およびその太陽電池モジュール２１の交換を促す情報を表示部４４に表示させる。
【００３４】
上記閾値としては、例えば、一つの太陽電池モジュール２１について故障位置検出部１６により断線故障が検出された回数の単純な積算値が設定される。あるいは、故障位置検出部１６により毎日１回検査が行われる場合に、連続する３回などの条件が設定されてもよい。
【００３５】
なお、要交換太陽電池モジュールを通知する方法（要交換太陽電池モジュールの存在を警告する方法）はサーバ１７の表示部４４での表示に限定されず、その他の表示部での表示、あるいは作業者が保持する端末装置への通知であってもよい。
【００３６】
（故障検出装置２の動作）
上記の構成において、故障検出装置２の動作を以下に説明する。図２は、故障検出装置２の動作を示すフローチャートである。
【００３７】
故障位置検出部１６は一日１回など、定期的に各太陽電池ストリング１１について、断線位置検出動作により、太陽電池モジュール２１における断線故障の有無を検査する（Ｓ１１）。この断線位置検出動作において、故障位置検出部１６の制御部３２は、開閉スイッチ１４を開動作させて、各太陽電池ストリング１１をＰＣＳ１５から解列させる。その後、制御部３２は、切替スイッチ１２を切り替えて、各太陽電池ストリング１１を順次故障位置検出部１６と接続させる。断線検出部３１は、故障位置検出部１６と接続された各太陽電池ストリング１１について、故障している太陽電池モジュール２１すなわち故障発生太陽電池モジュールの有無を判定する（Ｓ１２）。
【００３８】
Ｓ１２での判定の、断線検出部３１にて故障なしと判定された太陽電池モジュール２１について、制御部３２は、良品との判定結果をサーバ１７へ送信する（Ｓ１７）。
【００３９】
一方、Ｓ１２での断線検出部３１による判定の結果、いずれかの太陽電池ストリング１１が故障発生太陽電池モジュールを含んでいる場合、故障位置検出部１６の制御部３２は、故障情報をサーバ１７へ送信する（Ｓ１３）。この故障情報は、故障発生太陽電池モジュールおよびその故障発生太陽電池モジュールを備える太陽電池ストリング１１を特定するための情報を含んでいる。
【００４０】
サーバ１７の制御部４１は、故障位置検出部１６から故障情報を受信すると、カウント部４２における、故障発生太陽電池モジュールのカウント値を一つ加算する。その後、判定部４３は、故障発生太陽電池モジュールのカウント値が所定の閾値を超えたかどうかを判定する（Ｓ１５）。
【００４１】
Ｓ１５での判定の結果、故障発生太陽電池モジュールのカウント値が所定の閾値以下であれば、制御部４１は、その故障発生太陽電池モジュールが劣化していることを示す表示を表示部４４に行わせ、その状態を警告する（Ｓ１８）。これにより、作業者は、表示部４４の表示により、故障発生太陽電池モジュールの存在を認識することができる。
【００４２】
一方、Ｓ１５での判定の結果、故障発生太陽電池モジュールのカウント値が所定の閾値を超えていれば、制御部４１は、その故障発生太陽電池モジュールが要交換太陽電池モジュールであることを示す表示を表示部４４に行わせ、要交換太陽電池モジュールが存在することを警告する（Ｓ１６）。これにより、作業者は、表示部４４の表示により、要交換太陽電池モジュールの存在を認識することができる。
【００４３】
なお、本実施形態において、カウント部４２および判定部４３は、サーバ１７が備えている構成としているが、故障位置検出部１６あるいはその他の装置が備えていてもよい。故障位置検出部１６がカウント部４２および判定部４３を備えている場合、カウント部４２でのカウント値が所定の閾値を超えた場合の要交換太陽電池モジュールについての警告表示を表示部３３において行ってもよい。あるいは、カウント部４２でのカウント値が所定の閾値を超えた場合に、故障位置検出部１６からサーバ１７へその情報を送信し、サーバ１７の表示部４４において要交換太陽電池モジュールについての警告表示を行ってもよい。上記の点は、以下の他の実施形態の故障検出装置２においても同様である。
【００４４】
（故障検出装置２の利点）
本実施形態の故障検出装置２では、一つの太陽電池モジュール２１について、故障を検出した回数が所定の閾値を超えた場合に、例えば表示部４４の表示により、その太陽電池モジュール２１が要交換太陽電池モジュールであることを警告するようになっている。これにより、例えば一時的な接触不良により故障が生じ易い太陽電池モジュール２１に対しても適切な交換時期を示すことができる。
【００４５】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００４６】
（故障発生太陽電池モジュールを含む太陽電池ストリングの直列抵抗）
図３は、断線故障を生じた太陽電池モジュール２１を含む太陽電池ストリング１１における、故障検査ごとの直列抵抗の変化を示すグラフである。図３に示すように、太陽電池ストリング１１では、初期には直列抵抗が小さく、日数が経過するにしたがって直列抵抗が増大していき、太陽電池モジュール２１の交換が必要と判定するころ（３００日目あたり）には、直列抵抗が所定の閾値（以下、直列抵抗の閾値と称する）を越える場合が多発する。太陽電池ストリング１１の直列抵抗が直列抵抗の閾値を越えた状態は、太陽電池ストリング１１が故障発生太陽電池モジュールを含んでいる状態である。そこで、本実施形態の故障検出装置３は、下記のように、太陽電池ストリング１１の直列抵抗を測定して、故障発生太陽電池モジュールおよび要交換太陽電池モジュールを含む太陽電池ストリング１１を特定するようにしている。
【００４７】
なお、太陽電池ストリング１１の直列抵抗は、断線検出部３１から太陽電池ストリング１１に検査信号を印加し、これによって流れる電流を計測することにより求めることができる。この場合、太陽電池ストリング１１（太陽電池モジュール２１）の故障時には、太陽電池ストリング１１の直列抵抗が高くなるので、流れる電流が減少する。
【００４８】
（故障検出装置３の構成および動作）
故障位置検出部１６の断線検出部３１は、各太陽電池ストリング１１を検査し（Ｓ１１）、各太陽電池ストリング１１の直列抵抗を測定する。故障位置検出部１６の制御部３２は、断線検出部３１が太陽電池ストリング１１の直列抵抗を検出するごとに、直列抵抗を直列抵抗の閾値と比較する。この比較の結果、直列抵抗が直列抵抗の閾値を超えていれば、制御部３２は、太陽電池ストリング１１に故障ありと判定し（Ｓ１２）、故障ありの太陽電池ストリング１１の情報をサーバ１７へ送信する（Ｓ１３）。
【００４９】
サーバ１７の制御部４１は、故障位置検出部１６から故障ありの太陽電池ストリング１１の情報を受信するごとに、その太陽電池ストリング１１についての１回のカウント値としてカウント部４２へ与える。この場合、カウント部４２は、太陽電池ストリング１１ごとに、故障ありの回数をカウントする。その後、判定部４３がいずれかの太陽電池ストリング１１のカウント値が所定の閾値を超えたと判定すると、サーバ１７の制御部４１は、その太陽電池ストリング１１が要交換太陽電池モジュールを含んでいることを示す情報を故障位置検出部１６へ送信する。
【００５０】
断線検出部３１は、サーバ１７から要交換太陽電池モジュールを含む太陽電池ストリング１１の情報を受信すると、太陽電池ストリング１１の太陽電池モジュール２１のクラスタ断線などの断線故障を検出する、例えば特許文献２から４のいずれかの従来周知の構成により、その太陽電池ストリング１１について、要交換太陽電池モジュールを検出する。
【００５１】
制御部３２は、断線検出部３１が検出した要交換太陽電池モジュールを特定する情報をサーバ１７へ送信する。サーバ１７の制御部４１は、要交換太陽電池モジュールを特定する情報、およびその太陽電池モジュール２１の交換を促す情報を表示部４４に表示させる。
【００５２】
（故障検出装置３の構成および動作の他の例）
なお、故障検出装置３では、測定した太陽電池ストリング１１の直列抵抗が直列抵抗の閾値を超えたかどうかの判定をサーバ１７の制御部４１にて行うようにしてもよい。この場合の動作は次のようになる。
【００５３】
故障位置検出部１６の断線検出部３１は、各太陽電池ストリング１１を検査し、各太陽電池ストリング１１の直列抵抗を測定する。故障位置検出部１６の制御部３２は、この測定結果をサーバ１７へ送信する。
【００５４】
サーバ１７の制御部４１は、故障位置検出部１６から太陽電池ストリング１１の直列抵抗を示す情報を受信するごとに、太陽電池ストリング１１の直列抵抗を直列抵抗の閾値と比較する。この比較の結果、直列抵抗が直列抵抗の閾値を超えていれば、１回のカウント値としてカウント部４２へ与える。この場合、カウント部４２は、太陽電池ストリング１１ごとに、直列抵抗が直列抵抗の閾値を超えた回数をカウントする。その後、いずれかの太陽電池ストリング１１のカウント値が所定の閾値を超えたと判定部４３が判定すると、サーバ１７の制御部４１は、その太陽電池ストリング１１が要交換太陽電池モジュールを含んでいることを示す情報を故障位置検出部１６へ送信する。
【００５５】
断線検出部３１は、サーバ１７から要交換太陽電池モジュールを含む太陽電池ストリング１１の情報を受信すると、太陽電池ストリング１１の太陽電池モジュール２１のクラスタ断線などの断線故障を検出する、従来周知の構成により、その太陽電池ストリング１１について、要交換太陽電池モジュールを検出する。
【００５６】
制御部３２は、断線検出部３１が検出した要交換太陽電池モジュールを特定する情報をサーバ１７へ送信する。サーバ１７の制御部４１は、要交換太陽電池モジュールを特定する情報、およびその太陽電池モジュール２１の交換を促す情報を表示部４４に表示させる。
【００５７】
（故障検出装置３の構成および動作のさらに他の例）
また、故障検出装置３は、太陽電池ストリング１１の直列抵抗が、太陽電池モジュール２１が確実に断線していると判断できる値である場合には、太陽電池ストリング１１の故障回数をカウントすることなく、太陽電池ストリング１１が要交換太陽電池モジュールを含むと判断する構成であってもよい。故障検出装置３では、この場合の直列抵抗の閾値を第２閾値とし、先に示した、故障回数をカウントする場合の直列抵抗の閾値（図３に示した閾値）は第１閾値とする。第２閾値は第１閾値よりも大きい値となる。
【００５８】
したがって、太陽電池ストリング１１の直列抵抗が第１閾値よりも大きく第２閾値以下である場合の断線故障（第１断線故障）はカウント部４２によりカウントされる。太陽電池ストリング１１の直列抵抗が第２閾値よりも大きい場合の断線故障（第２断線故障）は、カウント部４２によりカウントされない。他の構成は、前述のとおりである。
【００５９】
上記の構成によれば、故障検出装置３は、太陽電池ストリング１１に含まれる太陽電池モジュール２１が確実に断線していると判断できる場合には、太陽電池ストリング１１の故障回数をカウントすることなく、太陽電池ストリング１１が要交換太陽電池モジュールを含むと判定する。この場合には、太陽電池ストリング１１の検査を無駄に行う必要がなく、故障検出装置３の動作を簡素化することができる。
【００６０】
〔実施形態３〕
本発明のさらに他の実施形態を以下に説明する。なお、説明の便宜上、前記実施形態にて説明した部材と同じ機能を有する部材については、同じ符号を付記し、その説明を省略する。
【００６１】
（故障検出装置４の構成および動作）
前記の実施形態の故障検出装置３では、太陽電池ストリング１１の直流抵抗を測定し、測定した直流抵抗を直流抵抗の閾値と比較することにより、故障発生太陽電池モジュールを含む太陽電池ストリング１１の有無を判定した。これに対し、本実施形態の故障検出装置４では、ＰＣＳ１５が従来備えている太陽電池ストリング１１に対する故障検出機能を利用して、各太陽電池ストリング１１の断線故障の有無、すなわち太陽電池ストリング１１が故障発生太陽電池モジュールを含むかどうかを判定するようにしている。
【００６２】
すなわち、ＰＣＳ１５は、従来、ＰＶ電流計測回路が計測する太陽電池ストリング１１の出力電流、およびＰＶ電圧計測回路が計測する太陽電池ストリング１１の出力電圧に基づいて、各太陽電池ストリング１１のＩ−Ｖ特性を取得し、Ｉ−Ｖ特性（Ｉ−Ｖ曲線の形状）から、太陽電池ストリング１１の断線故障を含む故障の種類を判別する（Ｓ１１，Ｓ１２）。
【００６３】
ＰＣＳ１５は、断線故障を検出した太陽電池ストリング１１の情報をサーバ１７に送信する（Ｓ１３）。サーバ１７のカウント部４２は、太陽電池ストリング１１ごとに断線故障が検出された回数をカウントする（Ｓ１４）。その後、カウント数が所定の閾値を超えると（Ｓ１５）、その太陽電池ストリング１１は要交換太陽電池モジュールを含むので、サーバ１７の制御部４１は、要交換太陽電池モジュールを含む太陽電池ストリング１１の情報を故障位置検出部１６へ送信する。
【００６４】
故障位置検出部１６の断線検出部３１は、サーバ１７から要交換太陽電池モジュールを含む太陽電池ストリング１１の情報を受信すると、太陽電池ストリング１１の太陽電池モジュール２１のクラスタ断線などの断線故障を検出する、従来周知の構成により、その太陽電池ストリング１１について、要交換太陽電池モジュールを検出する。
【００６５】
制御部３２は、断線検出部３１が検出した要交換太陽電池モジュールを特定する情報をサーバ１７へ送信する。サーバ１７の制御部４１は、要交換太陽電池モジュールを特定する情報、およびその太陽電池モジュール２１の交換を促す情報を表示部４４に表示させる（Ｓ１６）。
【００６６】
本実施形態の故障検出装置４は、太陽電池ストリング１１における断線故障の有無の検出をＰＣＳ１５が従来備えている機能を利用して行っているので、構成を簡略化することができる。
【００６７】
なお、以上の実施形態は、直流電源が太陽電池モジュール２１である場合について説明した。しかしながら、直流電源は、これに限定されず、発電または充電する直流電源であればよい。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６９】
１    太陽光発電システム
２    故障検出装置
３    故障検出装置
４    故障検出装置
１１    太陽電池ストリング
１５    パワーコンディショニングシステム
１６    故障位置検出部
１７    サーバ
２１    太陽電池モジュール（直流電源）
３１    断線検出部
３２    制御部
４１    制御部（警告部）
４２    カウント部
４３    判定部
４４    表示部（警告部）
【図１】
2017161314.tif 000003
【図２】
2017161314.tif 000004
【図３】
2017161314.tif 000005